【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
少なくともトナーを担持・搬送するためのトナー担持体と該トナー担持体上のトナーの厚さを規制するためのトナー層規制部材とからなる現像装置であって、
該トナー層規制部材は、先端を前記トナー担持体の回転方向に対して逆方向に向けて当接させて配置され、前記先端の曲げ角度は鋭角であり、且つ曲げ半径Ｒが０．２５ｍｍ＜Ｒ＜０．４５ｍｍであり、前記トナー担持体への当接部において前記トナー担持体の周面に形成される接線に対し０°〜９０°好ましくは１５°〜２０°の角度で配置されることを特徴とする現像装置。
【請求項２】
前記トナー担持体及び前記トナー層規制部材は夫々所定の電圧を印加され、該電圧により前記トナー担持体と前記トナー層規制部材の間に形成される電界が、正常に現像される極性に帯電したトナーに力を及ぼさないか、又は前記トナー担持体から前記トナーを引き剥がす方向に働くようにしたことを特徴とする請求項１記載の現像装置。
【請求項３】
前記トナー層規制部材に印加される電圧は、環境湿度に応じて変化するように設定されることを特徴とする請求項２記載の現像装置。
【請求項４】
非磁性一成分現像方式により静電潜像担持体上の静電潜像を現像する現像装置であって、現像部の下流において現像ローラ上に接する掬いシートを配置し、
前記掬いシートは、弾性を有する材質の薄板部材から成り、前記現像ローラ上に現像に寄与せず残留したトナーを物理的に剥離すべく、格子状の桟で仕切られた開口部を有し且つ前記桟の一部または全部が前記現像ローラの長手方向と斜めに交差して接するように配置されることを特徴とする請求項１記載の現像装置。
【請求項５】
前記掬いシートは、前記現像ローラ上に残る不良電位を除去すべく、所定の電圧を印加されるように構成されることを特徴とする請求項４記載の現像装置。
【請求項６】
前記掬いシートは、前記開口部の開口率を７５％以上に形成され且つ前記開口部を仕切る前記桟と前記現像ローラの長手方向とが斜めに交差する角度を１５°〜４５°にして配置されることを特徴とする請求項４又は５記載の前記現像装置。
【請求項７】
前記所定の電圧を相対湿度により可変して印加する可変電圧印加手段を更に備え、該可変電圧印加手段は、前記相対湿度が３０％以下になったとき前記所定の電圧を接地電圧により近づけるように可変することを特徴とする請求項５記載の現像装置。
【請求項８】
トナーに疎水性シリカを０．５重量％〜２重量％外添した非磁性トナーを使用し、少なくとも前記トナーを担持・搬送するためのトナー担持体と該トナー担持体上のトナーの厚さを規制するためのトナー層規制部材とからなる現像装置に適用される非磁性一成分現像方法であって、
前記トナー層規制部材が、先端を前記トナー担持体の回転方向に対して逆方向に向けて当接させて配置され、前記先端の曲げ角度が鋭角であり、且つ曲げ半径Ｒが０．２５ｍｍ＜Ｒ＜０．４５ｍｍであり、前記トナー担持体への当接部において前記トナー担持体の周面に形成される接線に対し０°〜９０°好ましくは１５°〜２０°の角度で配置され、
前記トナーは、粒径５μｍ以下のトナーの重量分布を４％以下、好ましくは３％以下とし、且つＣＶ値を２７以下、好ましくは２４以下として構成されることを特徴とする非磁性一成分現像方法。
【手続補正２】
【補正対象書類名】明細書
【補正対象項目名】００１３
【補正方法】変更
【補正の内容】
【００１３】
【課題を解決するための手段】
先ず、請求項１記載の発明の現像装置は、少なくともトナーを担持・搬送するためのトナー担持体と該トナー担持体上のトナーの厚さを規制するためのトナー層規制部材とからなる現像装置であって、該トナー層規制部材は、先端を上記トナー担持体の回転方向に対して逆方向に向けて当接させて配置され、上記先端の曲げ角度は鋭角であり、且つ曲げ半径Ｒが０．２５ｍｍ＜Ｒ＜０．４５ｍｍであり、上記トナー担持体への当接部において上記トナー担持体の周面に形成される接線に対し０°〜９０°好ましくは１５°〜２０°の角度で配置されるように構成される。


【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
そして、例えば請求項２記載のように、上記トナー担持体及び上記トナー層規制部材は夫々所定の電圧を印加され、該電圧により上記トナー担持体と上記トナー層規制部材の間に形成される電界が、正常に現像される極性に帯電したトナーに力を及ぼさないか、又は上記トナー担持体から上記トナーを引き剥がす方向に働くように構成される。


【手続補正５】
【補正対象書類名】明細書
【補正対象項目名】００１６
【補正方法】変更
【補正の内容】
【００１６】
また、上記トナー層規制部材に印加される電圧は、例えば請求項３記載のように、環境湿度に応じて変化するように設定される。
次に、請求項４記載の発明の現像装置は、非磁性一成分現像方式により静電潜像担持体上の静電潜像を現像する現像装置であって、現像部の下流において現像ローラ上に接する掬いシートを配置し、上記掬いシートは、弾性を有する材質の薄板部材から成り、上記現像ローラ上に現像に寄与せず残留したトナーを物理的に剥離すべく、格子状の桟で仕切られた開口部を有し且つ上記桟の一部または全部が上記現像ローラの長手方向と斜めに交差して接するように配置されて構成される。


【手続補正６】
【補正対象書類名】明細書
【補正対象項目名】００１７
【補正方法】変更
【補正の内容】
【００１７】
上記掬いシートは、例えば請求項５記載のように、上記現像ローラ上に残る不良電位を除去すべく、所定の電圧を印加されるように構成され、また、例えば請求項６記載のように、上記開口部の開口率を７５％以上に形成され且つ上記開口部を仕切る上記桟と上記現像ローラの長手方向とが斜めに交差する角度を１５°〜４５°にして配置される。そして、例えば請求項７記載のように、上記所定の電圧を相対湿度により可変して印加する可変電圧印加手段を更に備え、該可変電圧印加手段は、上記相対湿度が３０％以下になったとき上記所定の電圧を接地電圧により近づけるように可変するように構成される。


【手続補正７】
【補正対象書類名】明細書
【補正対象項目名】００１８
【補正方法】変更
【補正の内容】
【００１８】
更に、請求項８記載の発明の非磁性一成分現像方法は、トナーに疎水性シリカを０．５重量％〜２重量％外添した非磁性トナーを使用し、少なくとも上記トナーを担持・搬送するためのトナー担持体と該トナー担持体上のトナーの厚さを規制するためのトナー層規制部材とからなる現像装置に適用されることを前提とする。
そして、上記トナー層規制部材が、先端を上記トナー担持体の回転方向に対して逆方向に向けて当接させて配置され、上記先端の曲げ角度が鋭角であり、且つ曲げ半径Ｒが０．２５ｍｍ＜Ｒ＜０．４５ｍｍであり、上記トナー担持体への当接部において上記トナー担持体の周面に形成される接線に対し０°〜９０°好ましくは１５°〜２０°の角度で配置され、上記トナーは、粒径５μｍ以下のトナーの重量分布を４％以下、好ましくは３％以下とし、且つＣＶ値を２７以下、好ましくは２４以下として構成される。